(57)【要約】【課題】複数のジョブを含む連続ジョブの実行中に連続ジョブの構成内容を変更する場合におけるヤレの発生を抑え、生産性を向上させる。【解決手段】連続紙に画像を形成する画像形成部を備え、画像形成部による画像形成の対象となるジョブとして選択された複数のジョブをまとめて一つの連続ジョブを実行可能な画像形成装置において、連続ジョブの実行中に（ステップＳ５；ＮＯ）、当該連続ジョブの内容に対する編集指示があった場合に（ステップＳ７；ＹＥＳ）、当該編集指示に係る編集が可能であるか否かを判断し（ステップＳ８）、編集が可能であると判断された場合に（ステップＳ１０；ＹＥＳ）、編集指示に基づいて連続ジョブを編集する（ステップＳ１１）。【選択図】図４
2020196197.tif 000002
【特許請求の範囲】
【請求項１】
連続紙に画像を形成する画像形成手段と、
前記画像形成手段による画像形成の対象となるジョブを選択するための選択手段と、
前記選択手段において選択された複数のジョブをまとめて一つの連続ジョブを生成する連続ジョブ生成手段と、
前記連続ジョブの実行中に当該連続ジョブの内容に対する編集指示があった場合に、当該編集指示に係る編集が可能であるか否かを判断する編集可否判断手段と、
前記編集可否判断手段により編集が可能であると判断された場合に、前記編集指示に基づいて前記連続ジョブを編集する編集手段と、
を備える画像形成装置。
【請求項２】
前記編集可否判断手段による判断結果、又は、前記編集手段による編集結果を表示手段に表示させる表示制御手段を備える請求項１に記載の画像形成装置。
【請求項３】
前記編集指示は、実行中の連続ジョブに前記選択手段において選択された別のジョブを結合させる指示であり、
前記編集手段は、前記編集可否判断手段により前記別のジョブの結合が可能であると判断された場合に、前記実行中の連続ジョブを構成する最終ジョブの後に前記別のジョブを結合させる請求項１又は２に記載の画像形成装置。
【請求項４】
前記編集可否判断手段は、前記最終ジョブの実行開始前までは、前記実行中の連続ジョブに前記別のジョブを結合可能であると判断する請求項３に記載の画像形成装置。
【請求項５】
前記編集可否判断手段は、
前記別のジョブに係る画像データの受信が完了するまでの第１の時間を算出し、
前記最終ジョブの実行開始までの第２の時間を算出し、
前記第１の時間が前記第２の時間より短い場合に、前記実行中の連続ジョブに前記別のジョブを結合可能であると判断する請求項３に記載の画像形成装置。
【請求項６】
前記編集可否判断手段により前記別のジョブの結合が不可であると判断された場合に、前記実行中の連続ジョブの実行を中止し、当該実行中の連続ジョブを削除する制御手段を備える請求項３から５のいずれか一項に記載の画像形成装置。
【請求項７】
前記編集可否判断手段により前記別のジョブの結合が不可であると判断された場合に、前記別のジョブを通常ジョブとして実行する制御手段を備える請求項３から５のいずれか一項に記載の画像形成装置。
【請求項８】
前記編集可否判断手段により前記別のジョブの結合が不可であると判断された場合に、前記実行中の連続ジョブの実行を継続し、前記別のジョブの実行を中止する制御手段を備える請求項３から５のいずれか一項に記載の画像形成装置。
【請求項９】
前記編集指示は、実行中の連続ジョブを構成する各ジョブのうち指定されたジョブを削除する指示であり、
前記編集手段は、前記編集可否判断手段により前記指定されたジョブの削除が可能であると判断された場合に、前記実行中の連続ジョブから前記指定されたジョブを削除し、前記指定されたジョブの一つ前のジョブと一つ後のジョブとを結合させる請求項１又は２に記載の画像形成装置。
【請求項１０】
前記編集可否判断手段は、前記指定されたジョブの一つ前のジョブの実行開始前までは、前記実行中の連続ジョブから前記指定されたジョブを削除可能であると判断する請求項９に記載の画像形成装置。
【請求項１１】
前記編集可否判断手段は、
前記実行中の連続ジョブから前記指定されたジョブを削除し、前記指定されたジョブの前後のジョブを結合させるための第３の時間を算出し、
前記指定されたジョブの一つ前のジョブの実行開始までの第４の時間を算出し、
前記第３の時間が前記第４の時間より短い場合に、前記実行中の連続ジョブから前記指定されたジョブを削除可能であると判断する請求項９に記載の画像形成装置。
【請求項１２】
前記編集可否判断手段により前記指定されたジョブの削除が不可であると判断された場合に、前記実行中の連続ジョブの実行を中止し、当該実行中の連続ジョブを削除する制御手段を備える請求項９から１１のいずれか一項に記載の画像形成装置。
【請求項１３】
前記編集可否判断手段により前記指定されたジョブの削除が不可であると判断された場合に、前記指定されたジョブの一つ前のジョブまで実行する制御手段を備える請求項９から１１のいずれか一項に記載の画像形成装置。
【請求項１４】
前記編集可否判断手段により前記指定されたジョブの削除が不可であると判断された場合に、前記指定されたジョブの削除を中止し、前記実行中の連続ジョブを最後まで実行する制御手段を備える請求項９から１１のいずれか一項に記載の画像形成装置。
【請求項１５】
前記編集手段による前記連続ジョブの編集を許可するか否かを設定するための設定手段を備え、
前記編集可否判断手段は、前記連続ジョブの編集が許可されている場合に、前記編集指示に係る編集が可能であるか否かを判断する請求項１から１４のいずれか一項に記載の画像形成装置。
【請求項１６】
前記編集可否判断手段により前記連続ジョブの編集が不可であると判断された場合の前記連続ジョブの出力制御方法を設定するための設定手段と、
前記編集可否判断手段により前記連続ジョブの編集が不可であると判断された場合に、前記設定された出力制御方法に応じて、前記連続ジョブの実行を制御する制御手段と、
を備える請求項１から１５のいずれか一項に記載の画像形成装置。
【発明の詳細な説明】
【技術分野】
【０００１】
本発明は、画像形成装置に関する。
【背景技術】
【０００２】
従来、ロール紙のような連続紙を使用する画像形成装置において、連続紙を給紙する給紙部と、連続紙を巻き取る巻取部と、給紙部から巻取部まで搬送される連続紙に対して画像形成を行う画像形成部と、を備えたものが知られている。
【０００３】
給紙が停止された状態からジョブを開始する場合、連続紙の給紙速度が一定になる（以下、安定化という。）まで画像を形成することができない。このため、ジョブを実行し、ジョブの終了後に別のジョブを実行するといった処理を繰り返すと、ジョブとジョブとの間の余白（ヤレ）が多くなってしまう。
図２２（ａ）に、連続紙に対して複数のジョブ（ジョブ１〜３）を個別に実行した場合の例を示す。ジョブ１の出力終了後、ジョブ２の出力開始までの間に安定化が必要となるため、所定の長さの余白が発生する。ジョブ２とジョブ３の間についても同様である。
【０００４】
ジョブ間の余白が発生しないようにするために、複数のジョブを一つの連続ジョブとして扱う技術が利用されている（特許文献１参照）。具体的には、複数のジョブのデータ受信のみを実施し、複数のジョブのデータ受信が完了した時点で、連続ジョブとして結合した出力データを生成し、画像形成を行っている。
図２２（ｂ）に、連続紙に対して複数のジョブ（ジョブ１〜３）を連続ジョブとして実行した場合の例を示す。ジョブ１〜３を連続ジョブとすることで、ジョブ間の余白が発生しなくなる。
【先行技術文献】
【特許文献】
【０００５】
【特許文献１】特開２０１６−８８００１号公報
【発明の概要】
【発明が解決しようとする課題】
【０００６】
しかしながら、上記従来技術において、連続ジョブの実行中に、別のジョブの出力指示があった場合には、連続ジョブに別のジョブを追加した新規の連続ジョブとして扱うことはできず、既に実行中の連続ジョブと別のジョブとの間に余白（ヤレ）が発生してしまう。
図２２（ｃ）に、連続紙に対して複数のジョブ（ジョブ１〜３）を含む連続ジョブの実行中に、別のジョブ４の出力が指示された場合の例を示す。具体的には、連続ジョブのうち、ジョブ１の出力完了後、ジョブ２の出力中かつジョブ３の出力開始前に、ジョブ４の出力が指示されたこととする。連続ジョブの実行中に出力指示されたジョブ４は、ジョブ１〜３を含む連続ジョブとは別のジョブとして処理されることとなり、連続ジョブとジョブ４との間に余白が発生する。
【０００７】
この余白が発生しないようにするためには、実行中の連続ジョブの実行をキャンセルし、最初に出力指示があった連続ジョブ（ジョブ１〜３）と新たに追加するジョブ４を、再度一つの連続ジョブとして出力する必要がある。つまり、実行中の連続ジョブ全体を一旦キャンセルし、新たな連続ジョブを構成するジョブを選択し、新たな連続ジョブを生成し直し、新たな連続ジョブを実行するといった手順が必要となる。ジョブのキャンセルに伴い、キャンセル前に出力されていた分の出力物がヤレとなり、生産性が低下してしまうという問題があった。
【０００８】
また、実行中の連続ジョブを構成する各ジョブを個別に削除する場合にも、実行中の連続ジョブの実行をキャンセルし、最初に出力指示があった連続ジョブを構成している複数のジョブのうち、削除したいジョブ以外のジョブを選択し直し、新たな連続ジョブとして出力する必要がある。この場合にも、キャンセル前に出力されていた分の出力物はヤレとなり、生産性が低下していた。
【０００９】
本発明は、上記の従来技術における問題に鑑みてなされたものであって、複数のジョブを含む連続ジョブの実行中に連続ジョブの構成内容を変更する場合におけるヤレの発生を抑え、生産性を向上させることを課題とする。
【課題を解決するための手段】
【００１０】
上記課題を解決するために、請求項１に記載の発明は、連続紙に画像を形成する画像形成手段と、前記画像形成手段による画像形成の対象となるジョブを選択するための選択手段と、前記選択手段において選択された複数のジョブをまとめて一つの連続ジョブを生成する連続ジョブ生成手段と、前記連続ジョブの実行中に当該連続ジョブの内容に対する編集指示があった場合に、当該編集指示に係る編集が可能であるか否かを判断する編集可否判断手段と、前記編集可否判断手段により編集が可能であると判断された場合に、前記編集指示に基づいて前記連続ジョブを編集する編集手段と、を備える画像形成装置である。
【００１１】
請求項２に記載の発明は、請求項１に記載の画像形成装置において、前記編集可否判断手段による判断結果、又は、前記編集手段による編集結果を表示手段に表示させる表示制御手段を備える。
【００１２】
請求項３に記載の発明は、請求項１又は２に記載の画像形成装置において、前記編集指示は、実行中の連続ジョブに前記選択手段において選択された別のジョブを結合させる指示であり、前記編集手段は、前記編集可否判断手段により前記別のジョブの結合が可能であると判断された場合に、前記実行中の連続ジョブを構成する最終ジョブの後に前記別のジョブを結合させる。
【００１３】
請求項４に記載の発明は、請求項３に記載の画像形成装置において、前記編集可否判断手段は、前記最終ジョブの実行開始前までは、前記実行中の連続ジョブに前記別のジョブを結合可能であると判断する。
【００１４】
請求項５に記載の発明は、請求項３に記載の画像形成装置において、前記編集可否判断手段は、前記別のジョブに係る画像データの受信が完了するまでの第１の時間を算出し、前記最終ジョブの実行開始までの第２の時間を算出し、前記第１の時間が前記第２の時間より短い場合に、前記実行中の連続ジョブに前記別のジョブを結合可能であると判断する。
【００１５】
請求項６に記載の発明は、請求項３から５のいずれか一項に記載の画像形成装置において、前記編集可否判断手段により前記別のジョブの結合が不可であると判断された場合に、前記実行中の連続ジョブの実行を中止し、当該実行中の連続ジョブを削除する制御手段を備える。
【００１６】
請求項７に記載の発明は、請求項３から５のいずれか一項に記載の画像形成装置において、前記編集可否判断手段により前記別のジョブの結合が不可であると判断された場合に、前記別のジョブを通常ジョブとして実行する制御手段を備える。
【００１７】
請求項８に記載の発明は、請求項３から５のいずれか一項に記載の画像形成装置において、前記編集可否判断手段により前記別のジョブの結合が不可であると判断された場合に、前記実行中の連続ジョブの実行を継続し、前記別のジョブの実行を中止する制御手段を備える。
【００１８】
請求項９に記載の発明は、請求項１又は２に記載の画像形成装置において、前記編集指示は、実行中の連続ジョブを構成する各ジョブのうち指定されたジョブを削除する指示であり、前記編集手段は、前記編集可否判断手段により前記指定されたジョブの削除が可能であると判断された場合に、前記実行中の連続ジョブから前記指定されたジョブを削除し、前記指定されたジョブの一つ前のジョブと一つ後のジョブとを結合させる。
【００１９】
請求項１０に記載の発明は、請求項９に記載の画像形成装置において、前記編集可否判断手段は、前記指定されたジョブの一つ前のジョブの実行開始前までは、前記実行中の連続ジョブから前記指定されたジョブを削除可能であると判断する。
【００２０】
請求項１１に記載の発明は、請求項９に記載の画像形成装置において、前記編集可否判断手段は、前記実行中の連続ジョブから前記指定されたジョブを削除し、前記指定されたジョブの前後のジョブを結合させるための第３の時間を算出し、前記指定されたジョブの一つ前のジョブの実行開始までの第４の時間を算出し、前記第３の時間が前記第４の時間より短い場合に、前記実行中の連続ジョブから前記指定されたジョブを削除可能であると判断する。
【００２１】
請求項１２に記載の発明は、請求項９から１１のいずれか一項に記載の画像形成装置において、前記編集可否判断手段により前記指定されたジョブの削除が不可であると判断された場合に、前記実行中の連続ジョブの実行を中止し、当該実行中の連続ジョブを削除する制御手段を備える。
【００２２】
請求項１３に記載の発明は、請求項９から１１のいずれか一項に記載の画像形成装置において、前記編集可否判断手段により前記指定されたジョブの削除が不可であると判断された場合に、前記指定されたジョブの一つ前のジョブまで実行する制御手段を備える。
【００２３】
請求項１４に記載の発明は、請求項９から１１のいずれか一項に記載の画像形成装置において、前記編集可否判断手段により前記指定されたジョブの削除が不可であると判断された場合に、前記指定されたジョブの削除を中止し、前記実行中の連続ジョブを最後まで実行する制御手段を備える。
【００２４】
請求項１５に記載の発明は、請求項１から１４のいずれか一項に記載の画像形成装置において、前記編集手段による前記連続ジョブの編集を許可するか否かを設定するための設定手段を備え、前記編集可否判断手段は、前記連続ジョブの編集が許可されている場合に、前記編集指示に係る編集が可能であるか否かを判断する。
【００２５】
請求項１６に記載の発明は、請求項１から１５のいずれか一項に記載の画像形成装置において、前記編集可否判断手段により前記連続ジョブの編集が不可であると判断された場合の前記連続ジョブの出力制御方法を設定するための設定手段と、前記編集可否判断手段により前記連続ジョブの編集が不可であると判断された場合に、前記設定された出力制御方法に応じて、前記連続ジョブの実行を制御する制御手段と、を備える。
【発明の効果】
【００２６】
本発明によれば、複数のジョブを含む連続ジョブの実行中に連続ジョブの構成内容を変更する場合におけるヤレの発生を抑え、生産性を向上させることができる。
【図面の簡単な説明】
【００２７】
【図１】本発明の実施の形態における画像形成システムの概略構成図である。
【図２】画像形成システムの制御構成を示す機能ブロック図である。
【図３】連続ジョブ編集設定画面の例である。
【図４】連続ジョブ編集処理を示すフローチャートである。
【図５】一時保存ジョブ画面の例である。
【図６】結合される別ジョブが選択された後の一時保存ジョブ画面の例である。
【図７】スケジュール画面の例である。
【図８】連続ジョブに対する結合可否判断処理を示すフローチャートである。
【図９】連続ジョブに対する別ジョブの結合が成功した場合のスケジュール画面の例である。
【図１０】連続ジョブに対する別ジョブの結合が失敗した場合のスケジュール画面の例である。
【図１１】連続ジョブの実行中に連続ジョブに対して別ジョブを結合させる指示があった場合の概念図である。
【図１２】実行中の連続ジョブに対して別ジョブの結合が可能と判断された場合の概念図である。
【図１３】実行中の連続ジョブに対して別ジョブの結合が不可であると判断された場合の概念図である。
【図１４】スケジュール画面の例である。
【図１５】削除するジョブが指定された後のスケジュール画面の例である。
【図１６】連続ジョブに対する削除可否判断処理を示すフローチャートである。
【図１７】連続ジョブに対する個別ジョブの削除が成功した場合のスケジュール画面の例である。
【図１８】連続ジョブに対する個別ジョブの削除が失敗した場合のスケジュール画面の例である。
【図１９】連続ジョブの実行中に連続ジョブから個別にジョブを削除する指示があった場合の概念図である。
【図２０】実行中の連続ジョブに対して指定ジョブの削除が可能であると判断された場合の概念図である。
【図２１】実行中の連続ジョブに対して指定ジョブの削除が不可であると判断された場合の概念図である。
【図２２】従来の連続ジョブの実行中に、別のジョブの出力が指示された場合の問題点を説明するための図である。
【発明を実施するための形態】
【００２８】
以下、本発明の実施の形態について図面を参照して説明する。ただし、発明の範囲は、図示例に限定されない。
【００２９】
まず、本実施の形態における画像形成システムの構成について説明する。
図１に、画像形成システム１００の概略構成を示す。画像形成システム１００は、連続紙（ロール紙）を記録媒体として使用し、この連続紙上に画像を形成するシステムである。
図１に示すように、画像形成システム１００は、連続紙の搬送方向に沿って上流側から、給紙装置１０、給紙調整装置２０、画像形成装置３０、巻取調整装置４０、巻取装置５０が接続されて構成される。
【００３０】
給紙装置１０は、連続紙を画像形成装置３０へ給紙する装置である。給紙装置１０の筐体内では、図１に示すように、ロール状の連続紙が支持軸に巻回されて回転可能に保持される。給紙装置１０では、支持軸に巻回された連続紙は、複数のローラーを経由して外部へ搬送される。
【００３１】
給紙調整装置２０は、連続紙の搬送方向において、給紙装置１０の下流側、かつ、画像形成装置３０の上流側に設置される。給紙調整装置２０は、給紙装置１０から搬送された連続紙を、画像形成装置３０へと搬送する装置であって、給紙装置１０での連続紙の搬送速度と、画像形成装置３０での連続紙の搬送速度との速度差を吸収するために、連続紙をたるませて保持し、画像形成装置３０への連続紙の給紙を調整する。
【００３２】
画像形成装置３０は、連続紙に画像を形成する機能を有する装置である。画像形成装置３０は、連続紙の搬送方向において、給紙調整装置２０の下流側、かつ、巻取調整装置４０の上流側に設置される。
【００３３】
巻取調整装置４０は、連続紙の搬送方向において、画像形成装置３０の下流側、かつ、巻取装置５０の上流側に設置される。巻取調整装置４０は、画像形成装置３０から搬送された連続紙を、巻取装置５０へと搬送する装置であって、画像形成装置３０での連続紙の搬送速度と、巻取装置５０での連続紙の搬送速度との速度差を吸収するために、連続紙をたるませて保持し、画像形成装置３０からの連続紙の排紙を調整する。
【００３４】
巻取装置５０は、巻取調整装置４０を経て画像形成装置３０から搬送されてきた連続紙を巻き取る装置である。巻取装置５０の筐体内では、図１に示すように、連続紙が支持軸に巻回されてロール状に保持される。巻取装置５０では、巻取調整装置４０から搬送されてきた連続紙は、複数のローラーを経由して支持軸に巻き取られる。
【００３５】
次に、画像形成装置３０の構成について詳細に説明する。
図２は、画像形成システム１００の制御構成を示す機能ブロック図である。
図２に示すように、画像形成装置３０は、用紙搬送部３１と、画像形成部３２と、スキャナー部３３と、通信部３４と、制御部３５と、操作表示部３６と、不揮発メモリー３７と、画像メモリー３８と、ＨＤＤ（Hard Disk Drive）３９と、を備える。
【００３６】
用紙搬送部３１は、画像形成装置３０内部の連続紙の搬送機構であり、例えば、複数のローラーによって、給紙調整装置２０から搬送された連続紙を、画像形成部３２へ搬送し、画像形成部３２を通過した連続紙を、巻取調整装置４０へと搬送する。
【００３７】
画像形成部３２は、用紙搬送部３１により搬送される連続紙に対して画像を形成する。
画像形成部３２は、電子写真方式によってトナー像を形成し、連続紙に転写する。画像形成部３２は、イエロー（Ｙ）、マゼンタ（Ｍ）、シアン（Ｃ）、ブラック（Ｋ）の各色成分に対応する４組の露光部３２１、感光体３２２及び現像部３２３と、中間転写ベルト３２４と、転写ローラー３２５と、定着部３２６と、を備えている（図１参照）。
【００３８】
露光部３２１は、帯電された感光体３２２上にレーザー光を照射、露光して感光体３２２上に静電潜像を形成する。現像部３２３は、露光された感光体３２２上に現像ローラーにより所定の色（Ｙ、Ｍ、Ｃ、Ｋ）のトナーを供給して、感光体３２２上に形成された静電潜像を現像する。
【００３９】
Ｙ、Ｍ、Ｃ、Ｋの各色に対応する感光体３２２上に形成された各色のトナー像（単色画像）は、中間転写ベルト３２４上に逐次転写され、各色の層が重畳されたトナー像（カラー画像）が形成される。中間転写ベルト３２４は、複数のローラーにより巻回された無端ベルトである。そして、トナーと逆極性のバイアス電圧が転写ローラー３２５に印加されることにより、中間転写ベルト３２４上に形成されたトナー像が連続紙上に転写される。
定着部３２６は、加熱ローラー及び加圧ローラーを備え、連続紙上に転写されたトナー像を定着させる。
【００４０】
スキャナー部３３は、原稿を読み取り、画像データを生成する。具体的には、スキャナー部３３は、光源から照射され、原稿で反射された反射光をＣＣＤ（Charge Coupled Device）イメージセンサー等により読み取る。
【００４１】
通信部３４は、ＮＩＣ（Network Interface Card）やモデム等で構成され、通信ネットワークを介して接続されたＰＣ（Personal Computer）等の外部装置との間でデータの送受信を行う。
【００４２】
制御部３５は、ＣＰＵ（Central Processing Unit）、ＲＡＭ（Random Access Memory）等により構成され、画像形成装置３０内の各部、給紙装置１０、給紙調整装置２０、巻取調整装置４０、巻取装置５０を制御する。制御部３５のＣＰＵは、不揮発メモリー３７に記憶されているシステムプログラムや処理プログラム等の各種プログラムを読み出してＲＡＭに展開し、展開されたプログラムに従って、各種処理を実行する。
【００４３】
操作表示部３６は、表示画面上に各種情報の表示を行う表示部３６ａと、ユーザーによる各種指示の入力に使用される操作部３６ｂと、を備える。操作部３６ｂは、表示部３６ａの表示画面上を覆うように形成されたタッチパネルを含む構成であってもよい。
操作部３６ｂは、例えば、画像形成部３２による画像形成の対象となるジョブを選択する際、選択された複数のジョブに対して当該複数のジョブを連続して実行することを指定する際、連続ジョブに対して編集を指示する際、連続ジョブの編集を許可するか否かを設定する際、連続ジョブの編集が不可であると判断された場合の連続ジョブの出力制御方法を設定する際に用いられる。すなわち、操作部３６ｂは、選択手段、設定手段として機能する。
【００４４】
不揮発メモリー３７は、不揮発性の半導体メモリー等で構成された記憶装置であり、各種データを記憶する。不揮発メモリー３７には、制御部３５で実行されるシステムプログラムや処理プログラムを始めとする各種プログラム、これらのプログラムの実行に必要なデータが記憶されている。
【００４５】
例えば、不揮発メモリー３７には、連続ジョブの編集を許可するか否かを示す編集許否情報、連続ジョブの編集が不可であると判断された場合の連続ジョブの出力制御方法を示す出力制御情報等の設定情報が記憶されている。編集許否情報には、実行中の連続ジョブに対する別のジョブの結合を許可するか否かを示す情報（結合許否情報）、実行中の連続ジョブからの指定ジョブの削除を許可するか否かを示す情報（削除許否情報）が含まれる。出力制御情報には、連続ジョブに対する別のジョブの結合が不可であると判断された場合の連続ジョブの出力制御方法（後述する制御Ａ〜Ｃ）、連続ジョブからの指定ジョブの削除が不可であると判断された場合の連続ジョブの出力制御方法（後述する制御Ｄ〜Ｆ）が含まれる。
【００４６】
画像メモリー３８は、スキャナー部３３により生成された画像データ、通信部３４を介して受信された画像データ、ＨＤＤ３９から読み出された画像データ等、各種データを記憶する。
【００４７】
ＨＤＤ３９は、画像形成装置３０内で一時保存されているジョブのデータ等、各種データを記憶する。
【００４８】
制御部３５は、画像形成部３２等を制御して、ジョブのデータに基づいて連続紙に画像を形成させる。
制御部３５は、操作部３６ｂにおいて選択された複数のジョブをまとめて一つの連続ジョブを生成する。すなわち、制御部３５は、連続ジョブ生成手段として機能する。
【００４９】
制御部３５は、連続ジョブの実行中に当該連続ジョブの内容に対する編集指示があった場合に、当該編集指示に係る編集が可能であるか否かを判断する。すなわち、制御部３５は、編集可否判断手段として機能する。
具体的には、制御部３５は、不揮発メモリー３７に記憶されている編集許否情報を参照して、連続ジョブの編集が許可されている場合に、編集指示に係る編集が可能であるか否かを判断する。
【００５０】
制御部３５は、実行中の連続ジョブの内容に対する編集が可能であると判断された場合に、編集指示に基づいて連続ジョブを編集する。すなわち、制御部３５は、編集手段として機能する。連続ジョブの編集には、連続ジョブに別のジョブ（以下、別ジョブという場合もある。）を結合させる処理、連続ジョブを構成するジョブのうち１以上のジョブを削除する処理が含まれる。
【００５１】
制御部３５は、編集指示に係る編集が可能であるか否かの判断結果、又は、編集指示に基づく連続ジョブの編集結果を表示部３６ａに表示させる。すなわち、制御部３５は、表示制御手段として機能する。
【００５２】
まず、編集指示が、実行中の連続ジョブに、操作部３６ｂにおいて選択された別のジョブを結合させる指示である場合について説明する。
制御部３５は、実行中の連続ジョブに対する別のジョブの結合が可能であると判断された場合に、実行中の連続ジョブを構成する最終ジョブの後に別のジョブを結合させる。
【００５３】
制御部３５は、実行中の連続ジョブを構成する最終ジョブの実行開始前までは、実行中の連続ジョブに別のジョブを結合可能であると判断する。
【００５４】
制御部３５は、実行中の連続ジョブに対して結合が指示された別のジョブに係る画像データの受信が完了するまでの第１の時間を算出する。
制御部３５は、実行中の連続ジョブを構成する最終ジョブの実行開始までの第２の時間を算出する。
制御部３５は、第１の時間が第２の時間より短い場合に、実行中の連続ジョブに別のジョブを結合可能であると判断する。
【００５５】
制御部３５は、実行中の連続ジョブに対する別のジョブの結合が不可であると判断された場合に、予め設定されている連続ジョブの出力制御方法に応じて、連続ジョブの実行を制御する。具体的には、制御部３５は、不揮発メモリー３７に記憶されている出力制御情報（ジョブ結合不可時の連続ジョブに対する出力制御方法）を参照して、ユーザーが設定した出力制御方法である制御Ａ〜Ｃのいずれかを選択して実行する。
制御Ａ：制御部３５は、実行中の連続ジョブの実行を中止し、当該実行中の連続ジョブを削除する。
制御Ｂ：制御部３５は、別のジョブを通常ジョブとして実行する。
制御Ｃ：制御部３５は、実行中の連続ジョブの実行を継続し、別のジョブの実行を中止する。
ユーザーは、利用目的に応じて、制御Ａ〜Ｃのいずれかに設定しておく。
【００５６】
次に、編集指示が、実行中の連続ジョブを構成する各ジョブのうち指定されたジョブを削除する指示である場合について説明する。
制御部３５は、実行中の連続ジョブからの指定されたジョブの削除が可能であると判断された場合に、実行中の連続ジョブから指定されたジョブを削除し、指定されたジョブの一つ前のジョブと一つ後のジョブとを結合させる。
【００５７】
制御部３５は、指定されたジョブの一つ前のジョブの実行開始前までは、実行中の連続ジョブから指定されたジョブを削除可能であると判断する。
【００５８】
制御部３５は、実行中の連続ジョブから指定されたジョブを削除し、指定されたジョブの前後のジョブを結合させるための第３の時間を算出する。
制御部３５は、指定されたジョブの一つ前のジョブの実行開始までの第４の時間を算出する。
制御部３５は、第３の時間が第４の時間より短い場合に、実行中の連続ジョブから指定されたジョブを削除可能であると判断する。
【００５９】
制御部３５は、実行中の連続ジョブからの指定されたジョブの削除が不可であると判断された場合に、予め設定されている連続ジョブの出力制御方法に応じて、連続ジョブの実行を制御する。具体的には、制御部３５は、不揮発メモリー３７に記憶されている出力制御情報（ジョブ削除不可時の連続ジョブに対する出力制御方法）を参照して、ユーザーが設定した出力制御方法である制御Ｄ〜Ｆのいずれかを選択して実行する。
制御Ｄ：制御部３５は、実行中の連続ジョブの実行を中止し、当該実行中の連続ジョブを削除する。
制御Ｅ：制御部３５は、指定されたジョブの一つ前のジョブまで実行する。
制御Ｆ：制御部３５は、指定されたジョブの削除を中止し、実行中の連続ジョブを最後まで実行する。
ユーザーは、利用目的に応じて、制御Ｄ〜Ｆのいずれかに設定しておく。
【００６０】
次に、編集許否情報及び出力制御情報の設定方法について説明する。
図３に、表示部３６ａに表示される連続ジョブ編集設定画面６０の例を示す。
連続ジョブ編集設定画面６０には、ジョブ結合処理に対する「許可する」ボタン６１及び「許可しない」ボタン６２、ジョブ結合不可時の連続ジョブに対する出力制御方法を選択するためのボタン６３〜６５、ジョブ削除処理に対する「許可する」ボタン６６及び「許可しない」ボタン６７、ジョブ削除不可時の連続ジョブに対する出力制御方法を選択するためのボタン６８〜７０、ＯＫボタン７１、キャンセルボタン７２等が含まれる。
【００６１】
「許可する」ボタン６１は、実行中の連続ジョブに対する別ジョブの結合処理を許可するためのボタンである。「許可しない」ボタン６２は、実行中の連続ジョブに対する別ジョブの結合処理を禁止するためのボタンである。制御部３５は、ユーザーの操作部３６ｂからの操作により、「許可する」ボタン６１が押下された場合には、不揮発メモリー３７に記憶されている編集許否情報の結合許否情報を「許可する」に設定し、「許可しない」ボタン６２が押下された場合には、不揮発メモリー３７に記憶されている編集許否情報の結合許否情報を「許可しない」に設定する。
【００６２】
ボタン６３〜６５は、それぞれ、制御Ａ〜Ｃに対応するボタンである。
ユーザーの操作部３６ｂからの操作により、「連続ジョブ出力を即時中止」に対応するボタン６３が押下された場合には、制御部３５は、不揮発メモリー３７に記憶されているジョブ結合不可時の連続ジョブに対する出力制御方法（出力制御情報）として、制御Ａを設定する。
ユーザーの操作部３６ｂからの操作により、「別ジョブを通常ジョブとして出力」に対応するボタン６４が押下された場合には、制御部３５は、不揮発メモリー３７に記憶されているジョブ結合不可時の連続ジョブに対する出力制御方法（出力制御情報）として、制御Ｂを設定する。
ユーザーの操作部３６ｂからの操作により、「別ジョブの出力をキャンセルし、連続ジョブ出力を継続」に対応するボタン６５が押下された場合には、制御部３５は、不揮発メモリー３７に記憶されているジョブ結合不可時の連続ジョブに対する出力制御方法（出力制御情報）として、制御Ｃを設定する。
【００６３】
「許可する」ボタン６６は、実行中の連続ジョブを構成している個別ジョブの削除処理を許可するためのボタンである。「許可しない」ボタン６７は、実行中の連続ジョブを構成している個別ジョブの削除処理を禁止するためのボタンである。制御部３５は、ユーザーの操作部３６ｂからの操作により、「許可する」ボタン６６が押下された場合には、不揮発メモリー３７に記憶されている編集許否情報の削除許否情報を「許可する」に設定し、「許可しない」ボタン６７が押下された場合には、不揮発メモリー３７に記憶されている編集許否情報の削除許否情報を「許可しない」に設定する。
【００６４】
ボタン６８〜７０は、それぞれ、制御Ｄ〜Ｆに対応するボタンである。
ユーザーの操作部３６ｂからの操作により、「連続ジョブ出力を即時中止」に対応するボタン６８が押下された場合には、制御部３５は、不揮発メモリー３７に記憶されているジョブ削除不可時の連続ジョブに対する出力制御方法（出力制御情報）として、制御Ｄを設定する。
ユーザーの操作部３６ｂからの操作により、「削除指示されたジョブの前まで連続ジョブ出力を実施」に対応するボタン６９が押下された場合には、制御部３５は、不揮発メモリー３７に記憶されているジョブ削除不可時の連続ジョブに対する出力制御方法（出力制御情報）として、制御Ｅを設定する。
ユーザーの操作部３６ｂからの操作により、「ジョブ削除指示をキャンセルし、連続ジョブ出力を継続」に対応するボタン７０が押下された場合には、制御部３５は、不揮発メモリー３７に記憶されているジョブ削除不可時の連続ジョブに対する出力制御方法（出力制御情報）として、制御Ｆを設定する。
【００６５】
ＯＫボタン７１は、連続ジョブ編集設定画面６０において設定された内容を確定させるためのボタンである。キャンセルボタン７２は、連続ジョブ編集設定画面６０における設定をキャンセルするためのボタンである。
ユーザーの利用目的に応じて、連続ジョブ編集設定画面６０における設定内容を変更することで、実行中の連続ジョブに対する編集処理（ジョブ結合処理・ジョブ削除処理）を許可することができ、また、結合不可・削除不可の場合の出力制御方法を設定することができる。
【００６６】
次に、画像形成システム１００における動作について説明する。
＜連続ジョブ編集処理＞
図４は、画像形成システム１００において実行される連続ジョブ編集処理を示すフローチャートである。この処理は、制御部３５のＣＰＵと不揮発メモリー３７に記憶されているプログラムとの協働によるソフトウェア処理によって実現される。
【００６７】
まず、制御部３５は、ユーザーの操作部３６ｂからの操作により、複数のジョブを一つのジョブとして出力する連続ジョブの出力指示を受け付ける（ステップＳ１）。ユーザーは、連続ジョブとして出力する複数のジョブを選択し、連続ジョブ出力を指示する。
【００６８】
次に、制御部３５は、連続ジョブとしての出力が指示されたジョブ（選択された複数のジョブ）の画像データを受信する（ステップＳ２）。ここで、「受信」とは、ＨＤＤ３９に一時保存されているジョブの画像データを画像メモリー３８に読み出すことでもよいし、外部装置からの受信であってもよい。
【００６９】
画像データの受信完了後、制御部３５は、受信した複数のジョブの画像データに基づいて、連続ジョブを生成する（ステップＳ３）。具体的には、制御部３５は、選択された複数のジョブを結合させ、一つの連続ジョブとして出力するためのデータを生成する。
【００７０】
次に、制御部３５は、連続ジョブの出力を開始する（ステップＳ４）。具体的には、制御部３５は、給紙装置１０、給紙調整装置２０、用紙搬送部３１、巻取調整装置４０、巻取装置５０を制御して、連続紙の搬送速度を一定にした後（安定化）、画像形成部３２を制御して、連続ジョブを構成する各ジョブについて、順に画像形成を行わせる。
【００７１】
次に、制御部３５は、連続ジョブの出力が完了したか否かを判断する（ステップＳ５）。
連続ジョブの出力が完了していない場合には（ステップＳ５；ＮＯ）、制御部３５は、不揮発メモリー３７に記憶されている編集許否情報（結合許否情報・削除許否情報）を参照して、実行中の連続ジョブに対する編集（結合・削除）が許可されているか否かを判断する（ステップＳ６）。
【００７２】
実行中の連続ジョブに対する編集が許可されている場合には（ステップＳ６；ＹＥＳ）、制御部３５は、ユーザーの操作部３６ｂからの操作により、実行中の連続ジョブに対する編集指示（結合指示・削除指示）があったか否かを判断する（ステップＳ７）。なお、実行中の連続ジョブに対する結合は許可されているが、削除は許可されていない場合には、制御部３５は、実行中の連続ジョブに対する結合指示があったか否かを判断する。また、実行中の連続ジョブに対する削除は許可されているが、結合は許可されていない場合には、制御部３５は、実行中の連続ジョブに対する削除指示があったか否かを判断する。
【００７３】
実行中の連続ジョブに対する編集指示があった場合には（ステップＳ７；ＹＥＳ）、制御部３５は、編集指示に係る編集が可能であるか否かを判断する（ステップＳ８）。
次に、制御部３５は、編集指示に係る編集が可能であるか否かの判断結果を表示部３６ａに表示させる（ステップＳ９）。
【００７４】
編集指示に係る編集が可能であると判断された場合には（ステップＳ１０；ＹＥＳ）、制御部３５は、連続ジョブに対する編集を実施する（ステップＳ１１）。具体的には、制御部３５は、連続ジョブに対する別ジョブの結合が指示された場合には、ＨＤＤ３９に一時保存されているジョブのうち、結合されるジョブとして選択された別ジョブの画像データを画像メモリー３８に読み出し（あるいは、結合されるジョブとして選択された別ジョブの画像データを外部装置から受信し）、実行中の連続ジョブを構成する最終ジョブの後に別ジョブを結合させる。一方、制御部３５は、連続ジョブを構成する各ジョブのうち指定されたジョブの削除が指示された場合には、実行中の連続ジョブから指定されたジョブを削除し、指定されたジョブの一つ前のジョブと一つ後のジョブとを結合させる。
次に、制御部３５は、連続ジョブに対する編集結果を表示部３６ａに表示させる（ステップＳ１２）。
【００７５】
ステップＳ６において、実行中の連続ジョブに対する編集が許可されていない場合（ステップＳ６；ＮＯ）、ステップＳ７において、実行中の連続ジョブに対する編集指示がない場合（ステップＳ７；ＮＯ）、又は、ステップＳ１２の後、ステップＳ５に戻り、処理が繰り返される。
【００７６】
ステップＳ１０において、編集指示に係る編集が不可であると判断された場合には（ステップＳ１０；ＮＯ）、制御部３５は、不揮発メモリー３７に記憶されている出力制御情報を参照して、設定されている出力制御方法に応じて、連続ジョブの実行を制御する（ステップＳ１３）。具体的には、制御部３５は、連続ジョブに対する別ジョブの結合が不可であると判断された場合には、設定されている制御Ａ〜Ｃのいずれかを選択する。一方、制御部３５は、連続ジョブを構成する各ジョブのうち指定されたジョブの削除が不可であると判断された場合には、設定されている制御Ｄ〜Ｆのいずれかを選択する。
次に、制御部３５は、出力制御方法に応じた制御結果を表示部３６ａに表示させる（ステップＳ１４）。
【００７７】
ステップＳ５において、連続ジョブの出力が完了した場合（ステップＳ５；ＹＥＳ）、又は、ステップＳ１４の後、連続ジョブ編集処理が終了する。
【００７８】
実行中の連続ジョブに対して編集可能と判断された場合、実行中の連続ジョブを停止することなく、ジョブの編集を実施し、編集後のジョブも連続ジョブとして出力することができる。したがって、生産性の高い画像形成装置を実現することができる。
【００７９】
＜ジョブ結合処理＞
次に、連続ジョブに対して別ジョブを結合させるジョブ結合処理について説明する。
図５は、表示部３６ａに表示される一時保存ジョブ画面８０の例である。一時保存ジョブ画面８０は、一時保存ジョブタブＴ１が選択されている状態の画面である。一時保存ジョブ画面８０には、ジョブリスト表示領域８０Ａ、連続ジョブチェックボックス８０Ｂ、ジョブ結合チェックボックス８０Ｃ等が含まれる。
ジョブリスト表示領域８０Ａには、ＨＤＤ３９に一時保存されているジョブのリストが表示される。ユーザーは、操作部３６ｂから操作することにより、画像形成の対象となるジョブを選択する。
連続ジョブチェックボックス８０Ｂは、結合先のジョブとして連続ジョブを選択することを指示するためのものである。
ジョブ結合チェックボックス８０Ｃは、ジョブリスト表示領域８０Ａ上で選択されたジョブを、結合先のジョブに結合させることを指示するためのものである。
【００８０】
ユーザーは、操作部３６ｂを操作して、連続ジョブチェックボックス８０Ｂをチェックし、ジョブリスト表示領域８０Ａにおいて結合したい一又は複数のジョブを選択し、ジョブ結合チェックボックス８０Ｃをチェックする。
図６に、図５に示す一時保存ジョブ画面８０において、別ジョブが選択された後の一時保存ジョブ画面８１を示す。一時保存ジョブ画面８１には、ジョブリスト表示領域８１Ａ、連続ジョブチェックボックス８１Ｂ、ジョブ結合チェックボックス８１Ｃ等が含まれる。ジョブリスト表示領域８１Ａでは、選択された３個のジョブＪ１１，Ｊ１２，Ｊ１３の色が変更される等、選択されたジョブＪ１１，Ｊ１２，Ｊ１３がリスト上の他のジョブと識別可能に表示されている。また、連続ジョブチェックボックス８１Ｂ及びジョブ結合チェックボックス８１Ｃには、チェックが入っている。
【００８１】
図６に示す一時保存ジョブ画面８１において、ユーザーが操作部３６ｂを操作して、スケジュールタブＴ２を選択すると、図７に示すスケジュール画面８２が表示される。スケジュール画面８２には、スケジュール表示領域８２Ａ、ジョブ結合ボタン８２Ｂ等が含まれる。
【００８２】
スケジュール表示領域８２Ａには、現在予約されている実行中及び実行待ちの各ジョブ（連続ジョブについては、連続ジョブで１段）が縦方向に沿って実行予定順に配置され、横方向に各ジョブの所要時間（実行予定時間）が表示される。各ジョブの所要時間は、現在（０分）から何分後（実行中のジョブについては何分前）にジョブが開始され、何分後にジョブが終了するかがわかるように、グラフ化されて表示されている。また、連続ジョブについては、連続ジョブを構成する複数のジョブのそれぞれの区切りがわかるように表示されている。スケジュール表示領域８２Ａでは、１段目（実行中）のジョブは連続ジョブであり、現在、連続ジョブを構成する５個のジョブのうち、１番目のジョブを実行中である。２段目のジョブは単独ジョブである。３段目のジョブは連続ジョブであり、５個のジョブで構成されている。
スケジュール表示領域８２Ａにおいて、連続ジョブに対応する１段目及び３段目に、チェックボックス８２Ｃ，８２Ｄが設けられている。チェックボックス８２Ｃ，８２Ｄは、結合先の連続ジョブを選択するためのものである。
【００８３】
ジョブ結合ボタン８２Ｂは、一時保存ジョブ画面８１において選択された別ジョブを、スケジュール表示領域８２Ａで選択された結合先の連続ジョブに結合させることを指示するためのボタンである。
図７に示すスケジュール画面８２において、ユーザーが操作部３６ｂを操作して、チェックボックス８２Ｃをチェックして結合先の連続ジョブを選択し、ジョブ結合ボタン８２Ｂを押下することで、結合先の連続ジョブに対する別ジョブの結合が指示される。そして、連続ジョブに対する別ジョブの結合が可能か否かが判断される。
【００８４】
ここで、連続ジョブに対する結合可否判断処理について説明する。
図８は、画像形成システム１００において実行される連続ジョブに対する結合可否判断処理を示すフローチャートである。この処理は、図４のステップＳ７において、実行中の連続ジョブに対して別ジョブを結合することが指示された場合のステップＳ８に相当する処理である。
【００８５】
まず、制御部３５は、結合指示から、結合される別ジョブに係る画像データの受信が完了するまでの時間（第１の時間）を算出する（ステップＳ２１）。具体的には、制御部３５は、別ジョブのジョブ内容（データサイズ等）に基づいて、ＨＤＤ３９から画像メモリー３８に別ジョブの画像データを読み出すのにかかる時間を算出する。あるいは、制御部３５は、別ジョブのジョブ内容（データサイズ等）に基づいて、別ジョブに係る画像データを外部装置から受信するのにかかる時間を算出する。
【００８６】
次に、制御部３５は、結合指示から、実行中の連続ジョブを構成する最終ジョブの実行開始までの時間（第２の時間）を算出する（ステップＳ２２）。具体的には、制御部３５は、最終ジョブの実行開始までに使用される連続紙の搬送方向における長さと、連続紙の搬送速度に基づいて、最終ジョブの実行開始までの時間を算出する。
【００８７】
次に、制御部３５は、第１の時間が第２の時間より短いか否かを判断する（ステップＳ２３）。すなわち、制御部３５は、最終ジョブの実行開始より前に、別ジョブに係る画像データの受信が完了するか否かを判断する。
【００８８】
第１の時間が第２の時間より短い場合（ステップＳ２３；ＹＥＳ）、すなわち、最終ジョブの実行開始より前に、別ジョブに係る画像データの受信が完了する場合には、制御部３５は、実行中の連続ジョブに別ジョブを結合可能と判断する（ステップＳ２４）。
【００８９】
ステップＳ２３において、第１の時間が第２の時間以上である場合（ステップＳ２３；ＮＯ）、すなわち、別ジョブに係る画像データの受信完了以前に、最終ジョブの実行が開始される場合には、制御部３５は、実行中の連続ジョブに別ジョブを結合不可と判断する（ステップＳ２５）。
ステップＳ２４又はステップＳ２５の後、連続ジョブに対する結合可否判断処理が終了する。
【００９０】
図９に、図７に示す状況で、連続ジョブに対する別ジョブの結合が成功した場合のスケジュール画面８３を示す。スケジュール画面８３には、スケジュール表示領域８３Ａ、編集可否判断結果表示領域８３Ｂ等が含まれる。
スケジュール表示領域８３Ａにおけるジョブの表示方法は、スケジュール表示領域８２Ａ（図７参照）と同様である。１段目（実行中）の連続ジョブに対して、別ジョブとして選択された３個のジョブＪ１１，Ｊ１２，Ｊ１３が結合され、全体として８個のジョブを含む連続ジョブが生成される。スケジュール表示領域８３Ａにおける１段目のジョブの表示は、ステップＳ１２の連続ジョブに対する編集結果の表示に相当する。
１段目の連続ジョブに別ジョブが結合されたことに伴い、１段目の連続ジョブの終了時間が、結合されたジョブの出力時間分だけ変更され、２段目の単独ジョブ及び３段目の連続ジョブの実行予定時間も、結合されたジョブの出力時間分、より遅い時間にシフトされている。
編集可否判断結果表示領域８３Ｂには、連続ジョブに対するジョブ結合が成功した（ジョブ結合可能）という編集可否判断結果が表示される。これは、ステップＳ９の処理に相当する。
【００９１】
図１０に、図７に示す状況で、連続ジョブに対する別ジョブの結合が失敗した場合のスケジュール画面８４を示す。スケジュール画面８４には、スケジュール表示領域８４Ａ、編集可否判断結果表示領域８４Ｂ等が含まれる。ここでは、実行中の連続ジョブに対する別ジョブの結合が不可であると判断された場合の出力制御方法として、制御Ａが設定されている。
スケジュール表示領域８４Ａにおけるジョブの表示方法は、スケジュール表示領域８２Ａ（図７参照）と同様である。連続ジョブに対する別ジョブの結合が失敗した場合に、結合先として選択された連続ジョブは、即時実行が中止され、連続ジョブ全体が削除されるため、スケジュール表示領域８４Ａにおいて、結合先として選択された連続ジョブは、表示されていない。スケジュール表示領域８４Ａにおける表示（結合先ジョブの削除）は、ステップＳ１４の連続ジョブに対する制御結果の表示に相当する。
結合先として選択された連続ジョブが削除されたことに伴い、スケジュール表示領域８２Ａ（図７参照）で２段目、３段目に表示されていたジョブが、それぞれ、１段目、２段目に表示されることになる。また、１段目の単独ジョブ及び２段目の連続ジョブの実行予定時間が、削除された連続ジョブの出力時間分（出力前の分）、より早い時間にシフトされている。
編集可否判断結果表示領域８４Ｂには、連続ジョブに対するジョブ結合が失敗した（ジョブ結合不可）という編集可否判断結果が表示される。これは、ステップＳ９の処理に相当する。
【００９２】
図１１は、連続ジョブの実行中に連続ジョブに対して別ジョブを結合させる指示があった場合の一例を示す概念図である。図１１は、ジョブ１〜５により構成される連続ジョブを実行中の状態である。具体的には、ジョブ１の出力は終了しており、ジョブ２は実行中であり、ジョブ３〜５は出力前である。このタイミングで、実行中の連続ジョブにジョブ６〜８の結合指示があった場合、現在実行中の連続ジョブを構成する最終ジョブのジョブ５の実行開始までは、別ジョブをジョブ１〜５の連続ジョブの後に継続して結合することが可能である。
【００９３】
また、結合可能か否かを判断するために、ジョブ６〜８の別ジョブ結合が指示されたタイミングで、別ジョブ（ジョブ６〜８）の画像データの受信時間（第１の時間）と、最終ジョブ実行開始までの時間（第２の時間）を算出する。第１の時間が第２の時間より短い場合には、別ジョブを結合可能と判断する。
【００９４】
図１２は、図１１に示す状況で、実行中の連続ジョブ（ジョブ１〜５）に対して別ジョブ（ジョブ６〜８）の結合が可能と判断された場合の概念図である。ジョブ６〜８の別ジョブをジョブ１〜５に連続ジョブとして結合させ、実行中の連続ジョブを停止させることなく、継続的な出力を実施する。
なお、ここでは、後から追加する別ジョブも連続ジョブである場合について説明したが、結合させるジョブは単独ジョブでもよく、同様な制御でジョブを結合させることが可能である。
【００９５】
図１３（ａ）〜（ｃ）は、図１１に示す状況で、実行中の連続ジョブ（ジョブ１〜５）に対して別ジョブ（ジョブ６〜８）の結合が不可であると判断された場合の概念図である。実行中の連続ジョブに対して別ジョブの結合が不可であると判断された場合、連続ジョブ編集設定画面６０（図３参照）で設定された内容に基づいて、制御Ａ〜Ｃのいずれかの出力制御方法を選択する。
【００９６】
図１３（ａ）は、制御Ａを示す概念図である。制御Ａは、ジョブ１〜８を一つの連続ジョブとして出力することが必要な場合に設定される。制御Ａは、既に出力が完了している分の画像は無駄になってしまうが、ヤレを最小限にするためのモード（即時停止終了モード）である。
【００９７】
図１３（ｂ）は、制御Ｂを示す概念図である。制御Ｂは、ジョブ１〜５とジョブ６〜８とを別の連続ジョブとして出力し、連続ジョブ間に余白が入ることを許容するモードである。ジョブ１〜８を連続ジョブとして出力することはできないが、出力物として、元々出力指示されていたジョブ１〜５と、後から追加で出力指示されたジョブ６〜８を得ることができる。
【００９８】
図１３（ｃ）は、制御Ｃを示す概念図である。制御Ｃは、ジョブ１〜５にジョブ６〜８を結合させて一つの連続ジョブとして出力できない場合でも、ジョブ１〜５は連続ジョブとして出力することが必要な場合に設定される。制御Ｃは、別ジョブの結合指示自体をキャンセルするモードである。
【００９９】
＜ジョブ削除処理＞
次に、連続ジョブから個別にジョブを削除するジョブ削除処理について説明する。
図１４は、表示部３６ａに表示されるスケジュール画面９０の例である。スケジュール画面９０には、スケジュール表示領域９０Ａ等が含まれる。
スケジュール表示領域９０Ａには、現在予約されている実行中及び実行待ちの各ジョブ（連続ジョブについては、連続ジョブで１段）が縦方向に沿って実行予定順に配置され、横方向に各ジョブの所要時間（実行予定時間）が表示される。スケジュール表示領域９０Ａでは、１段目（実行中）のジョブは連続ジョブであり、現在、連続ジョブを構成する５個のジョブのうち、１番目のジョブを実行中である。２段目のジョブは単独ジョブである。３段目のジョブは連続ジョブであり、５個のジョブで構成されている。ユーザーは操作部３６ｂを操作して、スケジュール表示領域９０Ａにおいて、実行中の連続ジョブを構成する各ジョブに対して、削除したい一又は複数のジョブを指定する。
【０１００】
図１５に、図１４に示すスケジュール画面９０において、削除するジョブが指定された後のスケジュール画面９１を示す。スケジュール画面９１には、スケジュール表示領域９１Ａ、ジョブ削除ボタン９１Ｂ等が含まれる。
スケジュール表示領域９１Ａでは、実行中の連続ジョブ（１段目）の３番目と４番目のジョブＪ２１，Ｊ２２が指定されており、指定された２個のジョブＪ２１，Ｊ２２の色が変更される等、指定されたジョブＪ２１，Ｊ２２が１段目の連続ジョブの他のジョブと識別可能に表示されている。
この状態で、ユーザーが操作部３６ｂを操作して、ジョブ削除ボタン９１Ｂを押下することで、連続ジョブからの指定ジョブの削除が指示される。そして、連続ジョブからの指定ジョブの削除が可能か否かが判断される。
【０１０１】
ここで、連続ジョブに対する削除可否判断処理について説明する。
図１６は、画像形成システム１００において実行される連続ジョブに対する削除可否判断処理を示すフローチャートである。この処理は、図４のステップＳ７において、実行中の連続ジョブに対して連続ジョブを構成する個別のジョブを削除することが指示された場合のステップＳ８に相当する処理である。
【０１０２】
まず、制御部３５は、削除指示から、連続ジョブから指定されたジョブを削除し、指定されたジョブの前後のジョブを結合させるための時間（第３の時間）を算出する（ステップＳ３１）。実際、ジョブの削除とその前後のジョブの結合（連続ジョブの再構築）には、ほとんど時間はかからない。
【０１０３】
次に、制御部３５は、削除指示から、実行中の連続ジョブを構成するジョブのうち、指定されたジョブの一つ前のジョブの実行開始までの時間（第４の時間）を算出する（ステップＳ３２）。具体的には、制御部３５は、指定されたジョブの一つ前のジョブの実行開始までに使用される連続紙の搬送方向における長さと、連続紙の搬送速度に基づいて、指定されたジョブの一つ前のジョブの実行開始までの時間を算出する。
【０１０４】
次に、制御部３５は、第３の時間が第４の時間より短いか否かを判断する（ステップＳ３３）。すなわち、制御部３５は、指定されたジョブの一つ前のジョブの実行開始より前に、連続ジョブの再構築が完了するか否かを判断する。
【０１０５】
第３の時間が第４の時間より短い場合（ステップＳ３３；ＹＥＳ）、すなわち、指定されたジョブの一つ前のジョブの実行開始より前に、連続ジョブの再構築が完了する場合には、制御部３５は、実行中の連続ジョブから指定ジョブを削除可能と判断する（ステップＳ３４）。
【０１０６】
ステップＳ３３において、第３の時間が第４の時間以上である場合（ステップＳ３３；ＮＯ）、すなわち、連続ジョブの再構築の完了以前に、指定されたジョブの一つ前のジョブの実行が開始される場合には、制御部３５は、実行中の連続ジョブから指定ジョブを削除不可と判断する（ステップＳ３５）。
ステップＳ３４又はステップＳ３５の後、連続ジョブに対する削除可否判断処理が終了する。
【０１０７】
図１７に、図１５に示す状況で、連続ジョブに対する個別ジョブの削除が成功した場合のスケジュール画面９２を示す。スケジュール画面９２には、スケジュール表示領域９２Ａ、編集可否判断結果表示領域９２Ｂ等が含まれる。
スケジュール表示領域９２Ａにおけるジョブの表示方法は、スケジュール表示領域９０Ａ（図１４参照）と同様である。１段目（実行中）の連続ジョブから、削除対象として選択された２個のジョブ（３番目と４番目のジョブ）が削除され、２番目のジョブと５番目のジョブが結合され、全体として３個のジョブを含む連続ジョブが生成される。スケジュール表示領域９２Ａにおける１段目のジョブの表示は、ステップＳ１２の連続ジョブに対する編集結果の表示に相当する。
１段目の連続ジョブから２個のジョブが削除されたことに伴い、１段目の連続ジョブの終了時間が、削除されたジョブの出力時間分だけ変更され、２段目の単独ジョブ及び３段目の連続ジョブの実行予定時間が、削除されたジョブの出力時間分、より早い時間にシフトされている。
編集可否判断結果表示領域９２Ｂには、連続ジョブに対するジョブ削除が成功した（ジョブ削除可能）という編集可否判断結果が表示される。これは、ステップＳ９の処理に相当する。
【０１０８】
図１８に、図１５に示す状況で、連続ジョブに対する個別ジョブの削除が失敗した場合のスケジュール画面９３を示す。スケジュール画面９３には、スケジュール表示領域９３Ａ、編集可否判断結果表示領域９３Ｂ等が含まれる。ここでは、実行中の連続ジョブに対する個別ジョブの削除が不可であると判断された場合の出力制御方法として、制御Ｄが設定されている。
スケジュール表示領域９３Ａにおけるジョブの表示方法は、スケジュール表示領域９０Ａ（図１４参照）と同様である。連続ジョブに対する個別ジョブの削除が失敗した場合に、ジョブの削除が指示された連続ジョブは、即時実行が中止され、連続ジョブ全体が削除されるため、スケジュール表示領域９３Ａにおいて、ジョブの削除が指示された連続ジョブは、表示されていない。スケジュール表示領域９３Ａにおける表示（削除指示されたジョブを含む連続ジョブの削除）は、ステップＳ１４の連続ジョブに対する制御結果の表示に相当する。
ジョブの削除が指示された連続ジョブ全体が削除されたことに伴い、スケジュール表示領域９１Ａ（図１５参照）で２段目、３段目に表示されていたジョブが、それぞれ、１段目、２段目に表示されることになる。また、１段目の単独ジョブ及び２段目の連続ジョブの実行予定時間が、削除された連続ジョブの出力時間分（出力前の分）、より早い時間にシフトされている。
編集可否判断結果表示領域９３Ｂには、連続ジョブに対するジョブ削除が失敗した（ジョブ削除不可）という編集可否判断結果が表示される。これは、ステップＳ９の処理に相当する。
【０１０９】
図１９は、連続ジョブの実行中に連続ジョブから個別にジョブを削除する指示があった場合の一例を示す概念図である。図１９は、ジョブ１〜８により構成される連続ジョブを実行中の状態である。具体的には、ジョブ１の出力は終了しており、ジョブ２は実行中であり、ジョブ３〜８は出力前である。このタイミングで、実行中の連続ジョブを構成するジョブ６，７の削除指示があった場合、削除指示された先頭ジョブ（ジョブ６）の一つ前のジョブ５の実行開始までは、削除指示されたジョブ６，７を削除して、削除されたジョブ６，７を除いたジョブで連続ジョブの再構築を実施することが可能である。
【０１１０】
また、削除可能か否かを判断するために、ジョブ６，７を削除し、その前後のジョブ（ジョブ５とジョブ８）を結合させるための連続ジョブの再構築時間（第３の時間）と、削除指示されたジョブの一つ前のジョブの実行開始までの時間（第４の時間）を算出する。第３の時間が第４の時間より短い場合には、削除指示されたジョブを削除可能と判断する。
【０１１１】
図２０は、図１９に示す状況で、実行中の連続ジョブ（ジョブ１〜８）に対して指定ジョブ（ジョブ６，７）の削除が可能であると判断された場合の概念図である。ジョブ６，７を削除し、ジョブ１〜５とジョブ８を一つの連続ジョブとして再構築して、実行中の連続ジョブを停止させることなく、継続的な出力を実施する。
なお、ここでは、複数のジョブを削除する場合について説明したが、削除するジョブは単独ジョブでもよく、同様な制御でジョブを削除することが可能である。
【０１１２】
図２１（ａ）〜（ｃ）は、図１９に示す状況で、実行中の連続ジョブ（ジョブ１〜８）に対して指定ジョブ（ジョブ６，７）の削除が不可であると判断された場合の概念図である。実行中の連続ジョブに対して指定ジョブの削除が不可であると判断された場合、連続ジョブ編集設定画面６０（図３参照）で設定された内容に基づいて、制御Ｄ〜Ｆのいずれかの出力制御方法を選択する。
【０１１３】
図２１（ａ）は、制御Ｄを示す概念図である。制御Ｄは、ジョブ１〜５とジョブ８を一つの連続ジョブとして出力することが必要な場合（連続ジョブとして出力できなければ中止する場合）に設定される。制御Ｄは、既に出力が完了している分の画像は無駄になってしまうが、ヤレを最小限にするためのモード（即時停止終了モード）である。
【０１１４】
図２１（ｂ）は、制御Ｅを示す概念図である。制御Ｅは、削除指示されたジョブの一つ前のジョブまでは出力が必要な場合に設定される。制御Ｅは、ジョブ１〜５を連続ジョブとして出力するモードである。
【０１１５】
図２１（ｃ）は、制御Ｆを示す概念図である。制御Ｆは、ジョブ６，７の削除が不可の場合に、削除指示自体をキャンセルするモードである。
【０１１６】
以上説明したように、本実施の形態によれば、複数のジョブを含む連続ジョブの実行中に連続ジョブの構成内容を変更する場合に、連続ジョブの内容に対する編集指示に応じて、編集指示に係る編集が可能であるか否かを判断し、編集が可能であれば、編集指示に基づいて連続ジョブを編集するので、実行中の連続ジョブをキャンセルし、新たな連続ジョブの実行を指示する必要がない。したがって、実行中の連続ジョブの構成内容を変更する場合におけるヤレの発生を抑え、生産性を向上させることができる。
【０１１７】
具体的には、実行中の連続ジョブに別のジョブを結合させる指示があった場合に、別のジョブの結合が可能であれば、実行中の連続ジョブを構成する最終ジョブの後に別のジョブを結合させることで、別のジョブも含めた新たな連続ジョブを生成することができる。実行中の連続ジョブをキャンセルする必要もなく、元々の連続ジョブと別のジョブとの間に余白を挿入する必要もないため、ヤレの発生を抑え、生産性を向上させることができる。
【０１１８】
また、実行中の連続ジョブに別のジョブを結合させる指示があった場合に、実行中の連続ジョブを構成する最終ジョブの実行開始前までは、実行中の連続ジョブに別のジョブを結合可能であると判断することができる。
【０１１９】
さらに、実行中の連続ジョブに別のジョブを結合させる指示があった場合に、別のジョブに係る画像データの受信が完了するまでの第１の時間が、最終ジョブの実行開始までの第２の時間より短いときに、実行中の連続ジョブに別のジョブを結合可能であると判断することができる。
【０１２０】
また、ユーザーの利用目的に合った連続ジョブの出力制御方法（制御Ａ〜Ｃ）を予め設定しておくことで、別のジョブの結合が不可であると判断された場合に、設定されている制御Ａ〜Ｃに応じて、連続ジョブの実行を制御することができる。
【０１２１】
また、実行中の連続ジョブを構成する各ジョブのうち指定されたジョブを削除する指示があった場合に、指定されたジョブの削除が可能であれば、実行中の連続ジョブから指定されたジョブを削除し、指定されたジョブの一つ前のジョブと一つ後のジョブとを結合させることで、指定されたジョブを除いた新たな連続ジョブを生成することができる。実行中の連続ジョブをキャンセルする必要もなく、指定されたジョブのみをキャンセルすることができるので、ヤレの発生を抑え、生産性を向上させることができる。
【０１２２】
また、実行中の連続ジョブを構成する各ジョブのうち指定されたジョブを削除する指示があった場合に、指定されたジョブの一つ前のジョブの実行開始前までは、実行中の連続ジョブから指定されたジョブを削除可能であると判断することができる。
【０１２３】
さらに、実行中の連続ジョブを構成する各ジョブのうち指定されたジョブを削除する指示があった場合に、実行中の連続ジョブから指定されたジョブを削除し、その前後のジョブを結合させるための第３の時間が、指定されたジョブの一つ前のジョブの実行開始までの第４の時間より短いときに、実行中の連続ジョブから指定されたジョブを削除可能であると判断することができる。
【０１２４】
また、ユーザーの利用目的に合った連続ジョブの出力制御方法（制御Ｄ〜Ｆ）を予め設定しておくことで、指定されたジョブの削除が不可であると判断された場合に、設定されている制御Ｄ〜Ｆに応じて、連続ジョブの実行を制御することができる。
【０１２５】
また、編集指示に係る編集が可能であるか否かの判断結果や、連続ジョブに対する編集結果を表示部３６ａに表示させるので、編集が可能であるか否かの判断結果や編集結果をユーザーに通知することができる。
【０１２６】
また、実行中の連続ジョブの編集を許可するか否かを設定することができるので、編集を許可する設定とする場合には、実行中の連続ジョブを途中でキャンセルすることなく、連続ジョブの構成内容を変更することができる。
【０１２７】
なお、上記実施の形態における記述は、本発明に係る画像形成装置の例であり、これに限定されるものではない。装置を構成する各部の細部構成及び細部動作に関しても本発明の趣旨を逸脱することのない範囲で適宜変更可能である。
【０１２８】
以上の説明では、各処理を実行するためのプログラムを格納したコンピューター読み取り可能な媒体として不揮発メモリー３７を使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１２９】
１０  給紙装置
２０  給紙調整装置
３０  画像形成装置
３１  用紙搬送部
３２  画像形成部
３４  通信部
３５  制御部
３６  操作表示部
３６ａ  表示部
３６ｂ  操作部
３７  不揮発メモリー
３８  画像メモリー
３９  ＨＤＤ
４０  巻取調整装置
５０  巻取装置
６０  連続ジョブ編集設定画面
１００  画像形成システム
【図１】
2020196197.tif 000003
【図２】
2020196197.tif 000004
【図３】
2020196197.tif 000005
【図４】
2020196197.tif 000006
【図５】
2020196197.tif 000007
【図６】
2020196197.tif 000008
【図７】
2020196197.tif 000009
【図８】
2020196197.tif 000010
【図９】
2020196197.tif 000011
【図１０】
2020196197.tif 000012
【図１１】
2020196197.tif 000013
【図１２】
2020196197.tif 000014
【図１３】
2020196197.tif 000015
【図１４】
2020196197.tif 000016
【図１５】
2020196197.tif 000017
【図１６】
2020196197.tif 000018
【図１７】
2020196197.tif 000019
【図１８】
2020196197.tif 000020
【図１９】
2020196197.tif 000021
【図２０】
2020196197.tif 000022
【図２１】
2020196197.tif 000023
【図２２】
2020196197.tif 000024